(57)【要約】【課題】使用しないときには邪魔にならないように収容しておくことができ、これにより布物の外観が見苦しくなることがなく、必要に応じて表側に出して係止部として使用できる布物用乳の取付構造及びその乳を備えた布物を提供する。【解決手段】布物ｃ１を構成する構成布１、１ａは、表側を合わせ、縫着部１０によって一体化されている。縫着部１０の途中には縫着されていない部分があり、この部分は挿通口１１を形成している。挿通口１１の上部側の縁部からは縫着部１２が設けてあり、更に下方向へ縫着部１３が設けてある。乳２は、布製で細帯状のものの両端部を合わせて輪状に形成されており、合わせ部２０を縫着部１２で布物ｃ１に縫い付けて固定されている。乳２は縫着部１０の裏側に固定され、固定するときの長手方向は縫着部１０と平行である。乳２は変形させることにより挿通口１１を通り出入り可能である。【選択図】        図１
2004300632.tif 000002
【特許請求の範囲】
【請求項１】
布物（ｃ１，ｃ２）の表側に挿通口（１１，１１ｂ）が設けてあり、布物（ｃ１，ｃ２）の裏側には乳（２，２ａ，２ｂ）が設けてあり、乳（２，２ａ，２ｂ）は挿通口（１１，１１ｂ）から出し入れ可能であることを特徴とする、
布物用乳の取付構造。
【請求項２】
布物（ｃ１，ｃ２）を構成する構成布（１，１ａ，１ｂ）を縫着する縫着部（１０）の途中に、縫着していない挿通口（１１）が設けてあり、縫着部（１０）の裏側には乳（２，２ａ）が設けてあり、乳（２，２ａ）は挿通口（１１）から出し入れ可能であることを特徴とする、
布物用乳の取付構造。
【請求項３】
乳（２，２ａ，２ｂ）は、乳（２，２ａ，２ｂ）の長手方向が挿通口（１１，１１ｂ）を通る方向を向くよう取り付けてあることを特徴とする、
請求項１又は２記載の布物用乳の取付構造。
【請求項４】
乳（２）は、乳（２）の長手方向が挿通口（１１）を通らない方向を向くよう取り付けてあることを特徴とする、
請求項１又は２記載の布物用乳の取付構造。
【請求項５】
乳（２）は、挿通口（１１）から出入りする側（２３）と反対側が布物（ｃ１）の裏側に固定してあることを特徴とする、
請求項１、２、３または４記載の布物用乳の取付構造。
【請求項６】
乳（２ａ，２ｂ）は、乳（２ａ，２ｂ）の長手方向へ移動可能であり、止め手段（３，３ａ）によって所要の位置で止まるようにしてあることを特徴とする、
請求項１、２、３または４記載の布物用乳の取付構造。
【請求項７】
請求項１、２、３、４、５または６記載の布物用乳の取付構造（Ａ１，Ａ２，Ａ３，Ａ４，Ａ５）をもって取り付けられた乳（２，２ａ，２ｂ）を備えていることを特徴とする、
乳を備えた布物。
【発明の詳細な説明】
【０００１】
【発明の属する技術分野】
本発明は、布物用乳の取付構造及びその乳を備えた布物に関するものである。詳しくは、衣類等の布物の表面に設けられている出入口から出入り可能であり、使用しないときには邪魔にならないように収容しておき、必要に応じて表側に出して係止部（引っ掛け部）として使用できる布物用乳の取付構造及びその乳を備えた布物に関する。
【０００２】
【従来技術】
例えば、エプロン等の衣類の一部には、紐等、色々なものを結んだり引っ掛けたりするための乳（ち）が設けられているものがある。図１１に示すように、エプロンＥの縁部に設けてある乳９はループ状であり、縁部（表面または裏面の場合もある）から突出するようにして縫い付けて固定されていた。
なお、上記従来の乳を備えた衣類は、一般的に店頭でも販売されているが、先行技術文献としては発見できなかったので、先行技術文献に代えて、上記図１１に示したものを従来技術として説明した。
【０００３】
【発明が解決しようとする課題】
しかしながら、上記したような従来の乳の取付構造には、次のような課題があった。
すなわち、乳は衣類の表面から常時突出（または露出）しているので、邪魔になったり危険なこともあった。
例えば、洗濯する際に、ループ状の乳に他の衣類のボタン等が引っ掛かって衣類同士がひどく絡まってしまったり、引っ掛かったボタンが取れてしまうことがあった。
【０００４】
また、乳を備えた衣類を着て、人とすれ違ったり、狭いところをすり抜けようとする際に、すれ違った人の衣服表面に出ているボタン、あるいはドアや壁に突出しているピン、その他の突出部が乳に引っ掛かって止められたり、甚だしい場合は人や物が転倒するような危険もあった。
また、乳が常時表側に出ているために、布物の種類によっては外観が見苦しくなるという問題もあった。
【０００５】
（本発明の目的）
本発明の目的は、使用しないときには邪魔にならないように、または危険のないように収容しておくことができ、これにより布物の外観が見苦しくなることがなく、必要に応じて表側に出して係止部（引っ掛け部）として使用できる布物用乳の取付構造及びその乳を備えた布物を提供することである。
【０００６】
【課題を解決するための手段】
上記課題を解決するために講じた本発明の手段は次のとおりである。
第１の発明にあっては、
布物の表側に挿通口が設けてあり、布物の裏側には乳が設けてあり、乳は挿通口から出し入れ可能であることを特徴とする、
布物用乳の取付構造である。
【０００７】
第２の発明にあっては、
布物を構成する構成布を縫着する縫着部の途中に、縫着していない挿通口が設けてあり、縫着部の裏側には乳が設けてあり、乳は挿通口から出し入れ可能であることを特徴とする、
布物用乳の取付構造である。
【０００８】
第３の発明にあっては、
乳は、乳の長手方向が挿通口を通る方向を向くよう取り付けてあることを特徴とする、
第１又は第２の発明に係る布物用乳の取付構造である。
【０００９】
第４の発明にあっては、
乳は、乳の長手方向が挿通口を通らない方向を向くよう取り付けてあることを特徴とする、
第１又は第２の発明に係る布物用乳の取付構造である。
【００１０】
第５の発明にあっては、
乳は、挿通口から出入りする側と反対側が布物の裏側に固定してあることを特徴とする、
第１、第２、第３または第４の発明に係る布物用乳の取付構造である。
【００１１】
第６の発明にあっては、
乳は、乳の長手方向へ移動可能であり、止め手段によって所要の位置で止まるようにしてあることを特徴とする、
第１、第２、第３または第４の発明に係る布物用乳の取付構造である。
【００１２】
第７の発明にあっては、
第１、第２、第３、第４、第５または第６の発明に係る布物用乳の取付構造をもって取り付けられた乳を備えていることを特徴とする、
乳を備えた布物である。
【００１３】
本明細書にいう「布物」の用語は、布を一部または全部に使用してつくったものの総称として使用している。布物としては、例えば、シャツ、エプロン、下着、背広、ズボン、コート、帽子等の衣類、掛布団、敷布団、枕、シーツ、マットレス等の寝具類、あるいは座布団、クッション、旗、ポシェット、手提げ袋、バッグ、幟等であるが、これらに限定されるものではない。
【００１４】
本発明にいう「乳」の用語は、輪状（環状）のもの以外に、Ｕ字状、Ｖ字状、フック状のもの、あるいは所要長さの棒または紐、帯状のものに単数または複数の上記形態（Ｕ字状、Ｖ字状、フック状）のものを設けた構造を含むもの等として使用している。
乳の材料としては、物を引っ掛けたり吊り下げたりしたときに必要な強度を有するものが好ましいが特に限定はしない。また、布等、柔軟性を有するものが好ましいが、合成樹脂等、保形性を有するものでもよく、特に限定はしない。例えば、布や合成樹脂の他、皮革（天然、合成）、紙、金属、木、竹、焼き物等が採用できる。
【００１５】
また、乳の大きさも特に限定するものではなく、使用される布物の種類、設けられる箇所に合わせて適宜設定されるものである。更には、乳が設けられる箇所も特に限定されるものではなく、布物のどこに設けてもよい。
更には、乳を挿通口から出入りさせる形態としては、例えば乳を変形させて行うものの他、スライド等の移動により行うもの等であるが、これらに限定はされない。
【００１６】
（作用）
本発明に係る布物用乳の取付構造及びそれを備えた布物は、次のように作用する。
まず、乳を使用しないときや洗濯する場合等、邪魔になるときは、乳を挿通口から布物の裏側へ押し込むようにして、表側に出ないようにする。これにより、布物の表面に露出した乳が原因で外観が見苦しくなることはない。
また、乳は衣類の表側に常時出ているのではなく、必要なときにだけ表側に出すようになっているので、乳を裏側に収容しておけば、上記したような、洗濯の際に乳が邪魔になることや、引っ掛かりやすいことに起因する様々な危険も回避できる。
【００１７】
乳が、乳の長手方向が挿通口を通る方向を向くよう取り付けてあるものは、構成布を縫着する縫着部の途中に縫着しないで設けてある挿通口が乳の長手方向と同じ方向にあるので、乳の出し入れ操作がしやすい。また、乳は挿通口から表側へ自然に出やすい。
従って、この取付構造は、乳が通常は布物の表側に出ていて、必要時に裏側に収容されるような布物に有用である。
【００１８】
乳が、乳の長手方向が挿通口を通らない方向を向くよう取り付けてあるものは、構成布を縫着する縫着部の途中に縫着しないで設けてある挿通口が、例えば横にあることになるので、乳の出し入れ操作がしにくいが、挿通口から表側へ自然に出てしまうこともほとんどない。
従って、この取付構造は、乳が通常は布物の裏側に収容されていて、必要時に表側に出すような布物に有用である。
【００１９】
乳が、挿通口から出入りする側と反対側が布物の裏側に固定してあるものは、固定部分は動かないので、乳のうち挿通口から出入りする側を変形させて挿通口から出入りさせるようにする。また、布物の裏側に固定されていることによって強度に優れており、比較的重いものや強い荷重がかかるものでも引っ掛けることができる。
【００２０】
乳が、乳の長手方向へ移動可能であり、止め手段によって所要の位置で止まるようにしてあるものは、例えば乳をスライドさせることによって出入り操作ができるので、操作が比較的容易である。
また、乳が止め手段によって所要の位置で止まるようにした構造が、例えば乳を輪状に形成し、布物の裏側に係止片を設けて、この係止片に乳を掛ける構造であるものは、乳を挿通口から表側へ出したときも裏側へ入れたときも乳としての機能を有する。すなわち、乳を表側へ出したときは、表側から引っ掛けたり結んだりするようにし、裏側へ入れたときは裏側（例えば、ポケットの場合では、内部側）からこれを行う。
【００２１】
【発明の実施の形態】
本発明を図面に示した実施の形態に基づき更に詳細に説明する。
図１は本発明の第１実施の形態に係る布物用乳の取付構造を示す説明図であり、（ａ）は構成布を閉じて裏側が表に出ている状態の部分説明図、（ｂ）は構成布を開いて表側が表に出ている状態の部分説明図である。
【００２２】
布物用乳の取付構造Ａ１は、布物ｃ１を構成する構成布１、１ａの縫着部１０に乳２が設けてあり、乳２の長手方向が挿通口１１を通らない方向を向くよう取り付けてあるものである。
【００２３】
図１を参照して、布物用乳の取付構造Ａ１を更に詳細に説明する。
布物ｃ１（ここでは特定しない）を構成する構成布１、１ａは、表側を合わせ、縫着部１０によって一体化されている。縫着部１０の途中には縫着されていない部分があり、この部分は挿通口１１を形成している。挿通口１１の幅は乳２の幅よりやや広く設定してある。
【００２４】
挿通口１１のうち、図１で上部側の縁部からは横方向へ縫着部１２が設けてあり、更に下方向へ縫着部１３が設けてある。縫着部１０と縫着部１３は平行に設けてあり、その間隔は乳２の幅よりやや広く設定されている。
乳２は、布製で細帯状のものの両端部を合わせて輪状に形成されており、合わせ部２０を上記横方向の縫着部１２で布物ｃ１に縫い付けて固定されている。
【００２５】
乳２は、図１で縦方向に設けてある縫着部１０の裏側に固定され、固定するときの長手方向は縫着部１０と平行であり、縫着部１０とは若干離して設けてある。なお、縫着部１３の長さは、その下端部が乳２を縫着部１０と平行に伸ばしたときの先端部よりやや上方に位置するように設定してある。
この構造では、乳２のうち挿通口１１から出し入れ可能な部分である輪部２３の基端部横に挿通口１１が設けてある。
【００２６】
（作用）
本実施の形態に係る布物用乳の取付構造Ａ１は、次のように作用する。
まず、乳２を使用しないときや布物ｃ１を洗濯する場合等、邪魔になるときは、乳２を挿通口１１から布物ｃ１の裏側へ押し込むようにして、表側に出ないようにする。これにより、布物ｃ１の表面に露出した乳２が原因で外観が見苦しくなることはない。
【００２７】
また、乳２は衣類等の布物ｃ１の表側に常時出ているのではなく、必要なときにだけ表側に出すようになっているので、乳２を裏側に収容しておけば、上記したような、洗濯の際に乳２が邪魔になることや、引っ掛かりやすいことに起因する様々な危険も回避できる。
【００２８】
更には、布物用乳の取付構造Ａ１では、挿通口１１が縫着部１０に平行に設けてある乳２の基部側の横にあり、乳２は挿通口１１を通らない方向を向くよう取り付けてある。この構造によれば、乳２の出し入れ操作はしにくいが、挿通口１１から表側へ自然に出てしまうこともほとんどない。
従って、この取付構造Ａ１は、乳２が通常は布物の裏側に収容されていて、必要時に表側に出すような布物に有用である。
【００２９】
また、乳２は挿通口１１から布物ｃ１内部に入れたときも、装着部１３の下方から裏側に出すことにより、裏側からの引っ掛けや係止ができる乳として使用できる。なお、この機能については、後述する取り付け構造Ａ２、Ａ３も同様である。
【００３０】
図２は本発明の第２実施の形態に係る布物用乳の取付構造を示す説明図であり、（ａ）は構成布を閉じて裏側が表に出ている状態の部分説明図、（ｂ）は構成布を開いて表側が表に出ている状態の部分説明図である。
布物用乳の取付構造Ａ２は、布物の構成布の縫着部に乳が設けてあり、乳の長手方向が挿通口を通る方向を向くよう取り付けてあるものである。
【００３１】
図２を参照して、布物用乳の取付構造Ａ２を更に詳細に説明する。
布物ｃ１（ここでは特定しない）を構成する構成布１、１ａは、表側を合わせ、縫着部１０によって一体化されている。縫着部１０の途中には縫着されていない部分があり、この部分は挿通口１１を形成している。挿通口１１の幅は乳２の幅よりやや広く設定してある。
【００３２】
挿通口１１のうち、図２で上部側の縁部からは斜め下方向へ縫着部１４が設けてあり、更に下方向へ縫着部１３が設けてある。縫着部１０と縫着部１３は平行に設けてあり、その間隔は乳２の幅よりやや広く設定されている。
乳２は、布製で細帯状のものの両端部を合わせて輪状に形成されており、合わせ部２０を上記斜めの縫着部１４で布物ｃ１に縫い付けて固定されている。なお、縫着部１３の長さは、その下端部が乳２を縫着部１０と平行に伸ばしたときの先端部よりやや上方に位置するように設定してある。
【００３３】
乳２は、図１で縦方向に設けてある縫着部１０の裏側に固定され、固定するときの長手方向は縫着部１０とほぼ４５°傾斜させてある。なお、この傾斜角度は特に限定するものではない。また、縫着部１３の長さは、その下端部が乳２を縫着部１０と平行に伸ばしたときの先端部よりもやや上方に位置するように設定してある。
この構造では、乳２のうち挿通口１１から出し入れ可能な輪部２３が向いている方向に挿通口１１が設けてある。
【００３４】
（作用）
本実施の形態に係る布物用乳の取付構造Ａ２は、使い方については上記布物用乳の取付構造Ａ１とほぼ同様であるので、説明は省略する。
布物用乳の取付構造Ａ２では、乳２の長手方向が挿通口１１を通る方向を向くよう取り付けてあるので、乳２の出し入れ操作はしやすいが、挿通口１１から表側へ自然に出やすいという特徴もある。
従って、この取付構造は、乳２が通常は布物ｃ１の表側に出ていて、必要時に裏側に収容されるような布物ｃ１に有用である。
【００３５】
図３は本発明の第３実施の形態に係る布物用乳の取付構造を示す説明図であり、（ａ）は構成布を閉じて裏側が表に出ている状態の部分説明図、（ｂ）は構成布を開いて表側が表に出ている状態の部分説明図である。
布物用乳の取付構造Ａ３は、布物の構成布の縫着部に乳が設けてあり、乳の長手方向が挿通口を通る方向を向くよう取り付けてあるものである。
【００３６】
図３を参照して、布物用乳の取付構造Ａ３を更に詳細に説明する。
布物ｃ１（ここでは特定しない）を構成する構成布１、１ａは、表側を合わせ、縫着部１０によって一体化されている。縫着部１０の途中には縫着されていない部分があり、この部分は挿通口１１を形成している。挿通口１１の幅は乳２の幅よりやや広く設定してある。
【００３７】
挿通口１１のうち、図３で上部側の縁部からは横方向へ縫着部１２が設けてあり、更に下方向へ縫着部１３が設けてある。縫着部１０と縫着部１３は平行に設けてあり、その間隔は乳２の幅よりやや広く設定されている。
乳２は、布製で細帯状のものの両端部を合わせて輪状に形成されており、合わせ部２０を上記縦方向の縫着部１３で布物ｃ１に縫い付けて固定されている。
【００３８】
乳２は、図１で縦方向に設けてある縫着部１０の裏側に固定され、固定するときの長手方向は縫着部１０と直角方向である。なお、縫着部１３の長さは、その下端部が乳２を縫着部１０と平行に伸ばしたときの先端部よりやや上方に位置するように設定してある。
この構造では、乳２のうち挿通口１１から出し入れ可能な輪部２３が向いている方向に挿通口１１が設けてある。
【００３９】
（作用）
本実施の形態に係る布物用乳の取付構造Ａ３は、使い方については上記布物用乳の取付構造Ａ１とほぼ同様であるので、説明は省略する。
布物用乳の取付構造Ａ３では、乳２が挿通口１１を通る方向を向くよう取り付けてあるので、乳２の出し入れ操作はしやすいが、取付構造Ａ２と同様、挿通口１１から表側へ自然に出やすいという特徴もある。
従って、この取付構造は、乳２が通常は布物ｃ１の表側に出ていて、必要時に裏側に収容されるような布物ｃ１に有用である。
【００４０】
図４は本発明の第４実施の形態に係る布物用乳の取付構造を示す説明図であり、（ａ）は構成布を閉じて裏側が表に出ている状態の部分説明図、（ｂ）は構成布を開いて表側が表に出ている状態の部分説明図である。
布物用乳の取付構造Ａ４は、布物の構成布の縫着部に乳が設けてあり、乳の長手方向が挿通口を通る方向を向くよう取り付けてあるものである。
【００４１】
図４を参照して、布物用乳の取付構造Ａ４を更に詳細に説明する。
布物ｃ１（ここでは特定しない）を構成する構成布１、１ａは、表側を合わせ、縫着部１０によって一体化されている。縫着部１０の途中には縫着されていない部分があり、この部分は挿通口１１を形成している。
【００４２】
挿通口１１のうち、図４で上部側と下部側の縁部からは、それぞれ横方向へ縫着部１５、１６が設けてある。縫着部１５、１６は平行に設けてあり、その間隔（挿通口１１の幅）は乳２ａの幅よりやや広く設定されている。
乳２ａは、布製で細帯状のものの両端部を合わせて合わせ部２０を縫着部２２により縫着し輪状に形成されており、構成布１、１ａの間に縫着部１５、１６で縦方向に縫着し固定された長方形状の係止布３に輪部２３を掛けて取り付けてある。なお、係止布３は止め手段を構成する。
【００４３】
乳２ａは、輪部２３に係止布３を通して取り付けてあり、挿通口１１を通って内外方向へスライドすることにより出入り可能である。乳２ａは、輪部２３の両端側が係止布３に当たると、ほぼその位置で止まる。本実施の形態では、乳２ａが挿通口１１から表面側へ出て輪部２３の基部側の縫着部２２が係止布３に当たった状態でも、合わせ部２０が構成布１、１ａの端辺１００から裏側方向へ突出するようにしてある。これにより、乳２ａの引き込み操作がしやすくなる。
乳２ａを取り付けるときの長手方向は縫着部１０と直角方向である。この構造では、乳２ａのうち挿通口１１から出し入れ可能な部分である輪部２３が向いている方向に挿通口１１が設けてある。
【００４４】
（作用）
本実施の形態に係る布物用乳の取付構造Ａ４は、使い方については、乳２ａを乳２ａの長手方向にスライドさせて挿通口１１からの出入り操作をする点を除いて、布物用乳の取付構造Ａ１と同様であるので、説明は省略する。
布物用乳の取付構造Ａ４では、乳２ａをスライドさせることによって出入り操作ができるので、操作が比較的容易である。
【００４５】
また、乳２ａは輪状に形成してあり、布物ｃ１の裏側に係止布３を設けて、この係止布３に乳２ａを掛ける構造であるので、乳２ａを挿通口１１から表側へ出したときも、裏側へ入れたときも乳として使用できる。すなわち、挿通口１１から乳２ａを表側へ出したときは、表側から引っ掛けたり結んだりするようにし、裏側へ入れたときは裏側からこれを行うことができる。
【００４６】
更には、布物用乳の取付構造Ａ４では、乳２ａが挿通口１１を通る方向を向くよう取り付けてあるので、乳２ａの出し入れ操作はしやすいが、取付構造Ａ２と同様、挿通口１１から表側へ自然に出やすいという特徴もある。
従って、この取付構造は、乳２ａが通常は布物ｃ１の表側に出ていて、必要時に裏側に収容されるような布物ｃ１に有用である。
【００４７】
図５は本発明の第５実施の形態に係る布物用乳の取付構造を示す説明図であり、（ａ）は表側からみた部分説明図、（ｂ）は裏側からみた部分説明図である。
布物用乳の取付構造Ａ５は、布物の縫着部でない場所に設ける構造であり、構成布表側に乳２ｂが設けてあり、乳２ｂの長手方向が挿通口１１ｂを通る方向を向くよう取り付けてあるものである。
【００４８】
布物ｃ２（ここでは特定しない）を構成する構成布１ｂには、挿通口１１ｂが設けてある。挿通口１１ｂは玉口（たまぐち）といわれる構造であり、構成布１ｂの表側に設けられた長方形の縁布１１０、１１１の間にスリット状の口部を設けたものである。挿通口１１ｂの幅は、乳２ｂの幅よりやや広く設定されている。
【００４９】
構成布１ｂの裏側（詳しくは縁布１１０の裏側）には、止め手段である長方形状の係止布３ｂが、両側二箇所の縫着部３０、３１によって横方向に縫着してある。係止布３ｂの図５における下縁部３２は、挿通口１１ｂのスリットとほぼ同じ位置になるようにしてあり、係止布３ｂで止まった乳２ｂが引き出しやすいようにしている。
乳２ｂは、布製で細帯状のものの両端部を合わせて縫着部２２により縫着し輪状に形成されており、係止布３ｂに輪部２３を掛けて取り付けてある。
【００５０】
乳２ｂは、輪部２３に係止布３ｂを通して取り付けてあり、挿通口１１ｂを通って内外方向へスライドすることにより出入り可能である。乳２ｂは、輪部２３の両端側が係止布３ｂに当たると、ほぼその位置で止まる。乳２ｂのうち挿通口１１ｂから出し入れ可能な部分である輪部２３が向いている方向に挿通口１１ｂが設けてある。
【００５１】
（作用）
本実施の形態に係る布物用乳の取付構造Ａ５は、使い方については、乳２ｂを乳２ｂの長手方向にスライドさせて挿通口１１ｂからの出入り操作をする点を除いて、布物用乳の取付構造Ａ１と同様であるので、説明は省略する。
布物用乳の取付構造Ａ５は、上記布物用乳の取付構造Ａ１〜Ａ４と相違して、必ずしも、布物の構成布を縫着する部分に設けなくてもよく、設ける位置を自由に選定できる。
【００５２】
また、乳２ｂは輪状に形成してあり、布物ｃ１の裏側に係止布３ｂを設けて、この係止布３ｂに乳２ｂを掛ける構造であるので、上記布物用乳の取付構造Ａ４と同様に、乳２ｂを挿通口１１から表側へ出したときも裏側へ入れたときも乳としての機能を有する。
【００５３】
更には、布物用乳の取付構造Ａ５では、乳２ｂが挿通口１１ｂを通る方向を向くよう取り付けてあるので、乳２ｂの出し入れ操作はしやすいが、取付構造Ａ２と同様、挿通口１１から表側へ自然に出やすいという特徴もある。
従って、この取付構造は、乳２ｂが通常は布物ｃ２の表側に出ていて、必要時に裏側に収容されるような布物ｃ２に有用である。
【００５４】
図６は布物用乳の取付構造を備えたシャツ、ズボンの説明図、
図７は図６に示したシャツのポケット部分の断面説明図である。
図１ないし図４及び図６図７を参照して、布物用乳の取付構造のシャツへの使用形態及びその作用を説明する。
【００５５】
布物であるシャツＳの胸部に設けてあるポケットＰ１の底部には、布物用乳の取付構造Ａ４により乳２ａが設けてある。乳２ａは、例えば携帯電話機Ｆの落下防止のための係止部あるいは身分証明用プレートＮの吊り下げ部等として使用される。
【００５６】
前者の場合は、図７に示すように、携帯電話機Ｆのストラップ４１につながれた吊り紐４をポケットＰ１の内部側にある乳２ａの輪部２３に係合させて取り付けておくようにする。帯紐状の吊り紐４の両端部には、係止具４０が取り付けてあり、吊り紐４はこの係止具４０によって乳２ａとストラップ４１に取り付けてある。係止具４０は、ピアノ線を渦巻き状に曲げて形成したもので、ループ状の乳２ａへの係止が簡単にできる。
これによれば、一般的な鰐口形状のものでポケット開口縁を挟むようにして取り付ける場合と相違して外れにくいので、携帯電話器ＦがポケットＰ１から落下したときも、確実に吊り止めることができ、携帯電話器Ｆの紛失や損傷を防止できる。
【００５７】
また、後者の場合は、図６に示すように身分証明用プレートＮの吊り紐５に設けてある係止具５０をポケットＰ１の外部側にある乳２ａの輪部２３に係合させて取り付けておくようにする。
このように、ポケットＰ１の底部に布物用乳の取付構造Ａ４により設けられた乳２ａは、ポケットＰ１の内外部の両方で使用可能である。また、乳２ａを使用しないときには、ポケットＰ１内部に入れておけばシャツＳの外観も見苦しくはならない。なお、上記係止具４０、５０の構造は、鰐口のような外れやすいものでなく、乳に確実に係止または引っ掛けることができれば、特に限定するものではない。
【００５８】
また、シャツＳの脇下の縫着部１０と、布物であるズボンＺの大腿側部の縫着部１０には、布物用乳の取付構造Ａ２により乳２が設けてある。乳２は、いろいろなものを引っ掛けたり係止したりできる機能を利用して様々な用途に利用される。
なお、上記ポケットＰ１には、他の布物用乳の取付構造Ａ１、Ａ２、Ａ３、Ａ５を採用することもできる。また、シャツＳの脇下の縫着部１０とズボンＺの大腿側部の縫着部１０にも、他の布物用乳の取付構造Ａ１、Ａ３、Ａ４、Ａ５を採用することもできる。
【００５９】
図８は布物用乳の取付構造を備えたタペストリの説明図である。
図５及び図８を参照して、布物用乳の取付構造のタペストリへの使用形態及びその作用を説明する。
布物であるタペストリＴは、表側にそれぞれ二箇所に交差配置されたポケットＰ２と円形のアップリケ６を有している。アップリケ６は、円形の顔をデザインしたものであり、ほぼ中央部に布物用乳の取付構造Ａ５によって乳２ｂが設けてある。すなわち、デザイン上、挿通口１１ｂが顔中心部にある口部となっており、挿通口１１ｂから出入りする乳２ｂが舌となっている。
本実施の携帯に係るタペストリＴは、壁等に取り付けて、小物を収容したり吊り下げたりすることができるユーモラスなタペストリとして利用できる。
【００６０】
図９は布物用乳の取付構造を備えたクッションの説明図、
図１０は図９に示すクッションの使用状態を示す斜視説明図である。
図３及び図９、図１０を参照して、布物用乳の取付構造のクッションへの使用形態及びその作用を説明する。
【００６１】
布物であるクッション７は、方形状で所要の厚さを有するクッション材７１を構成布７０、７０ａで挟むように包んだ構造である。クッション７の縁部に設けてある縫着部７３のうち一辺部には、二箇所に布物用乳の取付構造Ａ３によって乳２が設けてある。各乳２は、本実施の形態ではクッション７の角部よりやや内側に設けてあるが、設ける位置、数は特に限定せず、適宜設定できる。
【００６２】
クッション７は、例えば図１０に示すように椅子８の座部８０に載せて使用する。詳しくは、クッション７の各乳２に両端側を結んでつないである取付用紐７２を椅子８の背もたれ８１を支えている二本の支え部材８２に巻き掛けるようにしている。なお、乳２を利用したクッション７の取付方法に関しては特に限定するものではなく、乳２のそれぞれを紐で各支え部材８２に括り付ける等、上記と異なる方法を採用することもできる。
【００６３】
これにより、クッション７は座部８０から大きくずれたり落ちてしまうことはなく、使いやすい。なお、クッション７を特に他に取り付ける必要がない場合には、乳２を挿通口１１から内部へ入れておけば、邪魔にならず、外観も見苦しくならない。
【００６４】
本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において、例えば布物だけでなく、バッグや衣類等、各種の皮革製品に上記各乳の取付構造Ａ１、Ａ２、Ａ３、Ａ４、Ａ５を使用する等、種々の変形が可能である。
【００６５】
【発明の効果】
本発明は上記構成を備え、次の効果を有する。
（ａ）乳を使用しないときや洗濯する場合等、邪魔になるときは、乳を挿通口から布物の裏側へ押し込むようにして、表側に出ないようにすれば、布物の表面に露出した乳が原因で外観が見苦しくなることはない。
また、乳は衣類の表側に常時出ているのではなく、必要なときにだけ表側に出すようになっているので、乳を裏側に収容しておけば、上記したような、洗濯の際に乳が邪魔になることや、引っ掛かりやすいことに起因する様々な危険も回避できる。
【００６６】
（ｂ）乳が、乳の長手方向が挿通口を通る方向を向くよう取り付けてあるものは、構成布を縫着する縫着部の途中に縫着しないで設けてある挿通口が乳の長手方向と同じ方向にあるので、乳の出し入れ操作がしやすい。
また、この取付構造は、乳が挿通口から表側へ自然に出やすいので、乳が通常は布物の表側に出ていて、必要時に裏側に収容されるような布物に有用である。
【００６７】
（ｃ）乳が、乳の長手方向が挿通口を通らない方向を向くよう取り付けてあるものは、構成布を縫着する縫着部の途中に縫着しないで設けてある挿通口が、例えば横にあることになるので、乳の出し入れ操作はしにくいが、挿通口から表側へ自然に出てしまうこともほとんどない。従って、この取付構造は、乳が通常は布物の裏側に収容されていて、必要時に表側に出すような布物に有用である。
【００６８】
（ｄ）乳が、挿通口から出入りする側と反対側が布物の裏側に固定してあるものは、布物の裏側に固定されていることによって強度に優れており、比較的重いものや強い荷重がかかるものでも引っ掛けることができる。
【００６９】
（ｅ）乳が、乳の長手方向へ移動可能であり、止め手段によって所要の位置で止まるようにしてあるものは、例えば乳をスライドさせることによって出入り操作ができるので、操作が比較的容易である。また、乳を挿通口から表側へ出したときも裏側へ入れたときも乳としての機能を有し、乳を表側へ出したときは表側から引っ掛けたり結んだりするようにし、裏側へ入れたときは裏側（例えば、ポケットの場合では、内部側）からこれを行うようにして使用できる。
【図面の簡単な説明】
【図１】本発明の第１実施の形態に係る布物用乳の取付構造を示す説明図。
【図２】本発明の第２実施の形態に係る布物用乳の取付構造を示す説明図。
【図３】本発明の第３実施の形態に係る布物用乳の取付構造を示す説明図。
【図４】本発明の第４実施の形態に係る布物用乳の取付構造を示す説明図。
【図５】本発明の第５実施の形態に係る布物用乳の取付構造を示す説明図。
【図６】布物用乳の取付構造を備えたシャツ、ズボンの説明図。
【図７】図６に示したシャツのポケット部分の断面説明図。
【図８】布物用乳の取付構造を備えたタペストリの説明図。
【図９】布物用乳の取付構造を備えたクッションの説明図。
【図１０】図９に示すクッションの使用状態を示す斜視説明図。
【図１１】従来の布物に対する乳の取付構造を示す説明図。
【符号の説明】
Ａ１、Ａ２、Ａ３、Ａ４、Ａ５  布物用乳の取付構造
ｃ１、ｃ２  布物
１、１ａ  構成布
１０  縫着部
１００  端辺
１１、１１ｂ  挿通口
１２、１３、１４、１５、１６  縫着部
２、２ａ、２ｂ  乳
２０  合わせ部
２２  縫着部
２３  輪部
３、３ｂ  係止布
１１０、１１１  縁布
１ｂ  構成布
３０、３１  縫着部
３２  下縁部
Ｓ  シャツ
Ｐ１  ポケット
Ｎ  身分証明用プレート
Ｆ  携帯電話機
４  吊り紐
４０  係止具
４１  ストラップ
５  吊り紐
５０  係止具
Ｚ  ズボン
Ｔ  タペストリ
Ｐ２  ポケット
６  アップリケ
７  クッション
７０、７０ａ  構成布
７１  クッション材
７２  取付用紐
７３  縫着部
８  椅子
８０  座部
８１  背もたれ
８２  支え部材
【図１】
2004300632.tif 000003
【図２】
2004300632.tif 000004
【図３】
2004300632.tif 000005
【図４】
2004300632.tif 000006
【図５】
2004300632.tif 000007
【図６】
2004300632.tif 000008
【図７】
2004300632.tif 000009
【図８】
2004300632.tif 000010
【図９】
2004300632.tif 000011
【図１０】
2004300632.tif 000012
【図１１】
2004300632.tif 000013